(57)【要約】【課題】ローレットやシボなどで光を散乱させる場合とは異なった、新鮮な電飾効果を発揮できる電飾部品を提供すること。【解決手段】複合入賞装置１は、ＬＥＤ４３、反射板３８、投光穴（３９、４１）及びハーフミラーシート２１６を備えた。ＬＥＤ４３から放射された光は、投光穴を通ってハーフミラーシート２１６に入射し、一部はそこを通過して前方に放出され、残余は反射されて反射板３８に向かい、反射板３８で反射されて再びハーフミラーシート２１６に入射する。ＬＥＤ４３からの光は、ハーフミラーシート２１６に入射する毎に一部が外部に出て、残りは反射板３８で反射されて再びハーフミラーシート２１６に入射することを繰り返す。これにより、従来のレンズの例えばローレットやシボなどで光を散乱させる場合とは異なった、新鮮な電飾効果が得られる。【選択図】図１
2008080157.tif 000002
【特許請求の範囲】
【請求項１】
パチンコ遊技機の遊技盤に装着される電飾部品であって、
装着時には前記遊技盤の表面に接触配置される基板部と、
前記基板部との間に間隔を保って前記基板部に対面配置された表飾部と、
前記基板部の前面に設けられた反射層と、
前記基板部及び反射層を貫通して設けられた複数の投光穴と、
前記反射層と対面する位置で前記表飾部の片面に設けられたハーフミラー層と、
光軸が前記遊技盤に垂直となる姿勢で前記投光穴と一対一に対応して配置されて前記投光穴から前記ハーフミラー層に向けて光を放射する複数のＬＥＤと
を備えたことを特徴とする電飾部品。
【請求項２】
前記基板部と前記表飾部との間を遊技球が通過可能であることを特徴とする請求項１記載の電飾部品。
【発明の詳細な説明】
【技術分野】
【０００１】
本発明は、パチンコ遊技機の技術分野に属し、詳細にはパチンコ遊技機に取り付けられる電飾部品に関する。
【背景技術】
【０００２】
パチンコ遊技機の遊技盤には、入賞装置や風車等の遊技に関わる機能部品ばかりでなく、例えばサイドランプのような電飾部品も装着される。
【特許文献１】特開２０００−２７９５７８号公報
【発明の開示】
【発明が解決しようとする課題】
【０００３】
従来の電飾部品では、特許文献１にも開示されているように、光源の前方に配されたレンズの例えばローレットやシボなどで光を散乱させて電飾効果を得ていた。
本発明は、ローレットやシボなどで光を散乱させる場合とは異なった、新鮮な電飾効果を得ることを目的とする。
【課題を解決するための手段】
【０００４】
請求項１記載の電飾部品は、
パチンコ遊技機の遊技盤に装着される電飾部品であって、
装着時には前記遊技盤の表面に接触配置される基板部と、
前記基板部との間に間隔を保って前記基板部に対面配置された表飾部と、
前記基板部の前面に設けられた反射層と、
前記基板部及び反射層を貫通して設けられた複数の投光穴と、
前記反射層と対面する位置で前記表飾部の片面に設けられたハーフミラー層と、
光軸が前記遊技盤に垂直となる姿勢で前記投光穴と一対一に対応して配置されて前記投光穴から前記ハーフミラー層に向けて光を放射する複数のＬＥＤと
を備えたことを特徴とする。
【０００５】
このように構成すると、ＬＥＤから放射された光は、投光穴から放射されて表飾部のハーフミラー層に入射し、一部はそこを通過して前方すなわち遊技者側に放出される。残余はハーフミラー層で反射されて反射層に向かう。そして、反射層で反射されて再びハーフミラー層に入射する。ここでも一部は透過して外部に出て、残りは反射されて反射層に入射する。つまり、光源となるＬＥＤからの光は、ハーフミラー層に入射する毎に一部が外部に出て、残りは反射層で反射されて再びハーフミラー層に入射することを繰り返す。これにより、従来のレンズの例えばローレットやシボなどで光を散乱させる場合とは異なった、新鮮な電飾効果が得られる。
【０００６】
特に、ＬＥＤの光軸が遊技盤すなわち基板部に垂直となっているのでＬＥＤからの光は投光穴を通過して例えばスポット状にハーフミラー層に当たる。ハーフミラー層と反射層とがいわば合わせ鏡になっているので、ＬＥＤから出てスポット状にハーフミラー層に当たった光が上記の反射を繰り返すと、観察者の位置などによっては例えばハーフミラー層にスポット状の明点が数珠状に形成されて見えたり、反射の繰り返しでスポットが拡大されて、光源から直接ハーフミラー層に当たる部分を中心とするハロー状に観察されたりする。
【０００７】
このように、ハーフミラー層と反射層とを平行状に配置して、反射板の投光穴からハーフミラー層に光を照射することによって、単なるスポット状ではない、変化のある電飾効果が得られる。
【０００８】
また、光源としてＬＥＤを採用しているので、上記のスポットが鮮明になる。
なお、反射層及びハーフミラー層は、基板部または表飾部に金属層を蒸着などして設けてもよいし、プラスチックフィルムなどに金属層を蒸着したものを貼着してもよい。また、反射層はステンレスやアルミニウム等の金属板を用いてもよい。プラスチックフィルムや金属板を反射層として用いる場合、投光穴は基板部に設けられる部分と金属板などに設けられる部分とで構成されるが、この場合には両部分が連通していて光が通り抜けられれば問題はない。
【０００９】
表飾部については、ハーフミラー層による上記の効果を得るために、少なくともハーフミラー層が設けられる部分については透光性（完全に透明でなくてもよい）にする必要がある。ハーフミラー層のための透光性が確保される前提で、表飾部に着色したり、適度に凹凸を施したりもできる。
【００１０】
請求項１の発明から外れるが、基板部を遊技盤の表面に接触配置せずに、遊技盤から離れさせてもよい。あるいは、基板部に支持されなくても平板状を維持できる程度の剛性を持つ反射板（例えば金属板）を反射層として、基板部を備えない構成としても構わない。そのような構成の電飾部品でも上記と同様の効果が得られる。
【００１１】
請求項２記載の電飾部品は、前記基板部と前記表飾部との間を遊技球が通過可能であることを特徴とする請求項１記載の電飾部品である。
基板部と表飾部とを両者の間に遊技球が通過可能な間隔を保って対面配置すれば、表飾部の背後を遊技球の通過域として利用できる。
【発明を実施するための最良の形態】
【００１２】
次に、本発明の電飾部品を複合入賞装置として具体化した実施例により発明の実施の形態を説明する。
［実施例］
複合入賞装置１は、図１（平面図、正面図、側面図及び断面図）、図２（背面図）、図３（前面側からの斜視図）、図４（背面側からの斜視図）、図５（前面側からの分解斜視図）及び図６（背面側からの分解斜視図）に示すとおり、可変入賞装置であるアタッカー１０、普通入賞装置であるチャッカー１００、１１０、１２０及び前飾部材２００などから構成されている。
【００１３】
前飾部材２００は、図５及び図６に良好に示されるように、表飾部に該当する前飾板２０２、右弧状部２０４、左弧状部２０６、ボス２０８、チャッカーリブ２１０、２１２、センタースペーサ２１４などを一体成形したプラスチック製の部材である。
【００１４】
前飾部材２００はほぼ透明なプラスチック製であり、前飾板２０２の前面にはハーフミラー層に該当するハーフミラーシート２１６が貼着されている。このハーフミラーシート２１６は、透明なプラスチックシートの表面にアルミニウムを蒸着してハーフミラーとしたものである。
【００１５】
右弧状部２０４及び左弧状部２０６の曲面形状は、遊技盤に取り付けられるガイドレールの曲面形状とほぼ合致しており、複合入賞装置１を遊技盤に取り付けた際には、右弧状部２０４及び左弧状部２０６は、良好にガイドレールに沿い、実質的にガイドレールと接合状態になる。このため、右弧状部２０４及び左弧状部２０６とガイドレールとが重なる部分では、右弧状部２０４及び左弧状部２０６の内面が遊技領域の輪郭となる。
【００１６】
右弧状部２０４の内面には３箇所の傾斜突起２１８が設けられ、左弧状部２０６の下端部には傾斜突起２２０が設けられ、左弧状部２０６の上端部はスペーサブロック２２２が連設されている。これら傾斜突起２１８、２２０及びスペーサブロック２２２もスペーサとして機能する。また、ボス２０８、チャッカーリブ２１０、２１２、センタースペーサ２１４、傾斜突起２１８、２２０及びスペーサブロック２２２は、アタッカー１０と前飾部材２００とを連結するためのビス受けでもある。
【００１７】
チャッカー１００、１１０、１２０は、それぞれが入賞口１０１、１１１、１２１及びポケット樋１０３、１１３、１２３を備えており、図１及び図３に良好に示されるように、チャッカー１００はチャッカーリブ２１０にはまり込んだ状態で、チャッカー１１０はチャッカーリブ２１２にはまり込んだ状態で配置されている。また、チャッカー１２０はチャッカー１１０とほぼ対照となる位置に配されている。なお、チャッカー１００、１１０、１２０は前飾部材２００とは連結されず、詳細は後述するがアタッカー１０側の部材によって支持されている。
【００１８】
アタッカー１０は、図２、図４、図５及び図６などに良好に示されるように、直接または間接的に各部を支持するベースブロック２０を備えている。
図５及び図６に良好に示されるように、ベースブロック２０の前面部分を構成するベース板２２は板状で基板部に該当する。複合入賞装置１はベース板２２を遊技盤にビス止めすることで遊技盤に装着される。
【００１９】
ベース板２２の中央部には略長方形の入賞口２４が開口している。
入賞口２４を開閉するための開閉板２６は、その開閉軸２７をベース板２２の背面に設けられた軸受溝２８に差し込まれ、ベース板２２の背後にあてがわれたステージブロック３０によって軸受溝２８からの脱落を防止されることで、ベースブロック２０に取り付けられている。開閉板２６は、開閉軸２７を中心にして、入賞口２４を閉鎖する位置と入賞口２４を開放し、またその上に落下してきた遊技球を入賞口２４に向けて誘導する、先端上がりの傾斜姿勢の開放位置との間で回動変位可能である。
【００２０】
ベース板２２の入賞口２４の下方には切欠部３２が設けられている。切欠部３２の左側及び右側部分の外縁３３、３５は、前飾部材２００の右弧状部２０４及び左弧状部２０６と整合する円弧状であり、図３及び図４に良好に示されるとおり、外縁３３、３５は、それぞれ右弧状部２０４及び左弧状部２０６と接合状態になっている。したがって、前飾部材２００とベース板２２とにより、右弧状部２０４及び左弧状部２０６を底とする樋状の構造が形成されている。なお、前飾板２０２とベース板２２との距離は遊技球の直径（約１１ｍｍ）よりも十分に大きく（本実施例では１４ｍｍ）、上記の樋状構造の内部を遊技球が支障無く通過できる。
【００２１】
複合入賞装置１を遊技盤に装着してパチンコ遊技が行われると、多くの遊技球がこの樋状構造に進入する。進入してきた遊技球の多くは右弧状部２０４又は左弧状部２０６上に落下し、或いは右弧状部２０４又は左弧状部２０６の上端から進入し、どちらも右弧状部２０４又は左弧状部２０６の弧状の傾斜に従って移動し、切欠部３２付近で右弧状部２０４又は左弧状部２０６から離脱する。また、入賞口２４の前方などを通過して切欠部３２付近に落下してくるものもある。いずれにしても、切欠部３２付近に集合する。それらは、切欠部３２の下方において右弧状部２０４と左弧状部２０６の間に露出しているガイドレール上を移動して、アウト穴に流入する。切欠部３２を設けたことでアウト穴が閉塞されることはなく、アウト穴への遊技球の道筋が確保されている。
【００２２】
ベース板２２の右側部分には、図５に良好に示されるとおり、反射板収容部３６が設けられている。ここにはステンレス板である反射板３８が緩みなくはめ込まれる。
反射板収容部３６には複数のＬＥＤ挿通穴３９が設けられ、それらは図６に両区に示すとおりベース板２２の背後に筒状に突出している。また、反射板３８にも複数の貫通穴４１が設けられている。各ＬＥＤ挿通穴３９と貫通穴４１とは一対一で対応し、反射板３８が緩みなくはめ込まれた状態では、それぞれが一連の穴となって投光穴を構成する。
【００２３】
ＬＥＤ挿通穴３９には各１個のＬＥＤ４３が挿通されており、それらのＬＥＤ４３は反射板収容部３６の背後に配されたＬＥＤ基板４２に保持されている。ＬＥＤ基板４２は、反射板収容部３６の背後に立設された基板取付ボス４４を介して、基板カバー４５と共にベース板２２に取り付けられている。
【００２４】
図４及び図６に良好に示されるとおり、ベース板２２にはチャッカー取付部４７、４８、４９が設けられ、それぞれの前面側にチャッカー１００、１１０、１２０が取付けられている。
【００２５】
図２や図６に良好に示されるように、チャッカー取付部４７には、ポケット樋１０３に対応して開口５１が設けられており、その背面にはセンサホルダ５２と球樋５３が立設されている。そして、図１や図４に良好に示されるとおり、センサホルダ５２によって通過センサ５５が保持されており、その検出穴は入賞口１０１の直下に位置している。このため、チャッカー１００に入賞した遊技球は、入賞口１０１から通過センサ５５の検出穴を通ってポケット樋１０３に落下し、開口５１を通過して球樋５３に流入して、球樋５３の先端から排出される。
【００２６】
チャッカー取付部４８、４９にも、チャッカー取付部４７と同様の開口５７、５９、センサホルダ６１、６３及び球樋６５、６７が設けられている。また、センサホルダ６１、６３にて通過センサ５５が保持され、その検出穴はそれぞれ入賞口１１３、１２３の直下に位置している。
【００２７】
ただし、球樋６５については、内部体７０の側面及び開閉機構８０の梃子支持部８１も用いて球通路が形成され、その下端には遊技球を背後側に誘導するための誘導板６６が備わっている。
【００２８】
したがって、チャッカー１１０に入賞した遊技球は、チャッカー１００と同様に、入賞口１１１、通過センサ５５の検出穴、ポケット樋１１３、開口５７、球樋６５の順に通過して、誘導板６６の先端から排出される。
【００２９】
また、球樋６７についても、内部体７０に設けられた補助樋７１及びスライド機構９０の支持板９１も協同して球通路を形成しており、チャッカー１２０に入賞した遊技球は、チャッカー１００と同様に、入賞口１２１、通過センサ５５の検出穴、ポケット樋１２３、開口５９、球樋６７の順に通過するが、最終的に排出されるのは補助樋７１からである。
【００３０】
入賞装置としてのアタッカー１０の構造は公知のものと概ね同様である。
前述したとおり、入賞口２４には開閉板２６が付属しており、入賞口２４の背後にはステージブロック３０が配されている。
【００３１】
ステージブロック３０の上面は入賞口２４を通過した遊技球を後方へ誘導するステージ３１であり、後方へわずかに傾斜している。ステージ３１の手前に形成されている段差３４は、開閉板２６が開閉変位する際の後縁部の移動域である。開閉板２６を開放位置にした際には、図３に示すように開閉板２６の後縁部とステージ３１の前端とがほぼ一連となる。
【００３２】
ステージブロック３０は、内部体７０の支持棚７２上に載置されて内部体７０によって保持されている。
支持棚７２の背後には門開口７３が設けられており、ステージ３１上を転動してきた遊技球はすべて門開口７３を通過する。
【００３３】
門開口７３の背後には門開口７３と連続する落下口７４を備えるスライドベース７５が配されている。
スライドベース７５の下側には、一対の通過センサ７６、７７が配されており、上方つまり落下口７４から落下する遊技球はすべて通過センサ７６、７７のいずれかを通過して検出される。
【００３４】
また、スライドベース７５の上には移動体７８が左右にスライド移動可能に載置されている。この移動体７８には、長穴７９、一対の邪魔板８２、８３、連結軸受８４等が備わっている。
【００３５】
長穴７９の短径は遊技球の直径を上回っており遊技球が通過できる。長径は落下口７４の幅よりも十分に長く、移動体７８がスライド移動して左端や右端に位置した場合でも、長穴７９の左右縁部が落下口７４上に架かることはない。したがって、落下口７４への遊技球の落下を阻害しない。
【００３６】
邪魔板８２、８３は移動体７８のスライド移動に伴って門開口７３の背後で左右に移動する。邪魔板８２、８３同士の間隔は、通過センサ７６、７７の検出口の軸間距離とほぼ等しく、また遊技球の直径の２倍を越えている。邪魔板８２、８３はくさび状であり、その前面に衝突した遊技球は邪魔板８２、８３同士の間へと導かれる。
【００３７】
連結軸受８４には、スライド機構９０のスライド梃子９２が連結されている。スライド梃子９２はスライド機構９０の駆動源であるスライドソレノイド９３に連結されている。これにより、スライドソレノイド９３のオン、オフに応じて移動体７８を左右に移動させることができる。
【００３８】
移動体７８の左右移動にともなって、門開口７３及び通過センサ７６、７７と邪魔板８２、８３との相対位置が変化し、例えばスライドソレノイド９３をオンにしたときには遊技球の多くが通過センサ７７に誘導され、スライドソレノイド９３をオフにしたときには遊技球の多くが通過センサ７６に誘導されるので、通過センサ７６、７７の一方をいわゆるＶ領域として、入賞口２４の開放初期には遊技球をＶ領域に誘導し、いずれかの遊技球がＶ領域を通過後は遊技球をＶ領域ではない方に誘導する、という利用形態が可能になる。
【００３９】
移動体７８を挟んでスライド機構９０と対置される状態で開閉機構８０が配されている。開閉機構８０には、上述の梃子支持部８１に立設された軸ピン９５に軸支された開閉梃子９６が備わっており、その先端部が開閉板２６の駆動ピン２９を抱え込んでいる。開閉梃子９６は開閉ソレノイド９７の駆動力を開閉板２６に伝達し、開閉ソレノイド９７のオン、オフに応じて開閉板２６を開閉できる。
【００４０】
また、内部体７０の背後には、移動体７８の移動域を覆うようにして背後体１３０が配されている。
背後体１３０の上半部は、その内部を移動体７８の移動域とする部屋状で、遊技球が門開口７３から邪魔板８２、８３間を通過して流入した遊技球が落下口７４以外に流出するのを防止している。背後体１３０の下部には一対のセンサ保持部１３２、１３４が設けられており、通過センサ７６、７７は、それぞれセンサ保持部１３２、１３４に保持されて、上述の位置に配されている。
【００４１】
そして、背後体１３０の背面には、プリント基板１４０が取り付けられていて、このプリント基板１４０上のコネクタ１４１に接続された電線により、通過センサ５５、７６、７７からの信号が送出され、ＬＥＤ４３、スライドソレノイド９３、開閉ソレノイド９７への電力が供給される。
【００４２】
この複合入賞装置１は、装着時には遊技盤の表面に接触配置されるベース板２２と、このベース板２２との間に遊技球が通過可能な間隔を保ってベース板２２に対面配置された前飾板２０２と、その内面が遊技盤上に設けられる遊技領域の輪郭の一部となる弧状でベース板２２の外縁部と前飾板２０２の外縁部とを連結する右弧状部２０４及び左弧状部２０６とを備えている。
【００４３】
ベース板２２と前飾板２０２とを両者の間に遊技球が通過可能な間隔を保って対面配置し、それらの外縁部同士を右弧状部２０４及び左弧状部２０６にて連結した構成であるので、装飾効果を発揮する前飾板２０２を大型化しても、遊技球は前飾板２０２の背後を通過できるから遊技球の通過域が狭められることはない。
【００４４】
しかも、右弧状部２０４及び左弧状部２０６の内面は遊技盤上に設けられる遊技領域の輪郭の一部となる弧状であるから、これをガイドレールに沿わせることができ、実質上遊技領域の広さには影響しない。また、右弧状部２０４及び左弧状部２０６をガイドレールとして機能させてガイドレールの一部を省略することが可能である。
【００４５】
前飾板２０２は右弧状部２０４及び左弧状部２０６のみで支持されるのではなくて、スペーサとなるボス２０８、チャッカーリブ２１０、２１２、センタースペーサ２１４、傾斜突起２１８、２２０及びスペーサブロック２２２にてもベース板２２と連結されているので、歪んだりがたついたりするおそれはない。
【００４６】
これらスペーサとなるボス２０８、チャッカーリブ２１０、２１２、センタースペーサ２１４、傾斜突起２１８、２２０及びスペーサブロック２２２は、ベース板２２と前飾板２０２との間を通過する遊技球の進行を阻害しない配置であるから、遊技球がベース板２２と前飾板２０２との間で詰まったりするおそれはない。また、これらスペーサとなる部分は、いずれも前飾板２０２の外周或いは外周近くに配されているので、ベース板２２と前飾板２０２との間に入り込んだ遊技球の進路にはほとんど影響しない。
【００４７】
複合入賞装置１は遊技領域の下部中央のアウト穴が含まれる範囲に設置されるが、右弧状部２０４及び左弧状部２０６はアウト穴の左右両側に配され、ベース板２２にはアウト穴に向かう遊技球を通過させるための切欠部３２が設けられているので、前飾板２０２の背後を通過して右弧状部２０４又は左弧状部２０６に至った遊技球は右弧状部２０４又は左弧状部２０６によってアウト穴に向けて誘導され、切欠部３２を通過してアウト穴に流入する。これにより、アウト球を排出処理できる。
【００４８】
また、この複合入賞装置１は、光軸が遊技盤に垂直となる姿勢でベース板２２の背面側に配置された複数のＬＥＤ４３と、ベース板２２の前面に設けられた反射板３８と、ＬＥＤ４３と一対一の対応でベース板２２及び反射板３８を貫通して設けられた投光穴と、反射板３８と対面する位置で前飾板２０２の片面に設けられたハーフミラーシート２１６とを備えたので、ＬＥＤ４３から放射された光は、投光穴を通って前飾板２０２のハーフミラーシート２１６に入射し、一部はそこを通過して前方すなわち遊技者側に放出される。残余はハーフミラーシート２１６で反射されて反射板３８に向かう。そして、反射板３８で反射されて再びハーフミラーシート２１６に入射する。ここでも一部は透過して外部に出て、残りは反射されて反射板３８に入射する。つまり、光源であるＬＥＤ４３からの光は、ハーフミラーシート２１６に入射する毎に一部が外部に出て、残りは反射板３８で反射されて再びハーフミラーシート２１６に入射することを繰り返す。これにより、従来のレンズの例えばローレットやシボなどで光を散乱させる場合とは異なった、新鮮な電飾効果が得られる。
【００４９】
特に、ＬＥＤ４３の光軸が遊技盤すなわちベース板２２に垂直となっているのでＬＥＤ４３からの光は投光穴を通過して例えばスポット状にハーフミラーシート２１６に当たる。ハーフミラーシート２１６と反射板３８とがいわば合わせ鏡になっているので、ＬＥＤ４３から出てスポット状にハーフミラーシート２１６に当たった光が上記の反射を繰り返すことにより、ハーフミラーシート２１６にスポット状の明点が数珠状に形成されて見えたり、反射の繰り返しでスポットが拡大されてハロー状に見えたりする。
【００５０】
このように、ハーフミラーシート２１６と反射板３８とを平行状に配置して、反射板３８の投光穴からハーフミラーシート２１６に光を照射することによって、単なるスポット状ではない、変化のある電飾効果が得られる。
【００５１】
また、光源としてＬＥＤ４３を採用しているので、上記のスポットが鮮明になる。
以上、実施例にしたがって本発明の実施の形態を説明したが、本発明はこれらの例に限定されるものではない。
【図面の簡単な説明】
【００５２】
【図１】実施例の複合入賞装置の説明図であり、（ａ）は平面図、（ｂ）は正面図、（ｃ）は側面図、（ｄ）はＥ−Ｅ断面図。
【図２】実施例の複合入賞装置の背面図。
【図３】実施例の複合入賞装置の前面側からの斜視図。
【図４】実施例の複合入賞装置の背面側からの斜視図。
【図５】実施例の複合入賞装置の前面側からの分解斜視図。
【図６】実施例の複合入賞装置の背面側からの分解斜視図。
【符号の説明】
【００５３】
１      複合入賞装置（電飾部品）
１０    アタッカー
２０    ベースブロック
２２    ベース板（基板部）
３８    反射板（反射層）
３９    ＬＥＤ挿通穴（投光穴）
４１    貫通穴（投光穴）
４３    ＬＥＤ
２００  前飾部材
２０２  前飾板（表飾部）
２１６  ハーフミラーシート（ハーフミラー層）
【図１】
2008080157.tif 000003
【図２】
2008080157.tif 000004
【図３】
2008080157.tif 000005
【図４】
2008080157.tif 000006
【図５】
2008080157.tif 000007
【図６】
2008080157.tif 000008